(57)【特許請求の範囲】
【請求項１】
外部から送信される有料のサービス情報を受信して表示するとともに、外部に情報を送信する送受信装置において、
前記サービス情報の受信を期間管理するための期間管理情報と前記情報の送信を回数管理するための回数管理情報とを記憶可能な記憶手段と、
この記憶手段に記憶された前記期間管理情報に基づいて前記サービス情報を表示に供するとともに、前記回数管理情報に基づいて情報を送信する処理を行う制御手段と、
を有することを特徴とする送受信装置。
【請求項２】
外部から送信される有料のサービス情報を受信して表示するとともに、外部に情報を送信する送信手段を有する送受信装置において、
前記サービス情報の受信を期間管理するための期間管理情報と前記情報の送信を回数管理するための回数管理情報とを記憶してなる情報記憶媒体を着脱可能な装着部と、
前記情報記憶媒体に記憶してなる前記期間管理情報に基づいて前記サービス情報を表示に供するとともに、前記回数管理情報に基づいて前記情報を送信に供する制御手段と、
を有することを特徴とする送受信装置。
【請求項３】
外部から送信される有料のサービス情報を受信して表示するとともに、外部に情報を送信する送受信装置において、
前記サービス情報の受信を期間管理するための期間管理情報を記憶してなる情報記憶媒体と前記情報の送信を回数管理するための回数管理情報を記憶してなる情報記憶媒体を選択的に着脱可能な装着部と、
前記情報記憶媒体に記憶されている期間管理情報に基づいて前記サービス情報を表示に供するとともに、前記情報記憶媒体に記憶されている回数管理情報に基づいて前記情報を送信に供する制御手段と、
を有することを特徴とする送受信装置。
【請求項４】
前記装着部に装着された情報記憶媒体から前記期間管理情報と回数管理情報を読み取って記憶する記憶手段をさらに備え、前記制御手段は、前記記憶手段に記憶された期間管理情報に基づいて前記サービス情報を表示に供するとともに、前記記憶手段に記憶された回数管理情報に基づいて情報送信処理を行うことを特徴とする請求項２又は３記載の送受信装置。
【請求項５】
外部から送信される有料のサービス情報を受信して表示するとともに、外部に情報を送信する送信手段を有する送受信装置であって、前記サービス情報の受信を期間管理するための期間管理情報と前記情報の送信を回数管理するための回数管理情報とを記憶してなる情報記憶媒体を着脱可能な装着部と、前記情報記憶媒体に記憶してなる期間管理情報と回数管理情報とに基づいて、前記サービス情報を表示に供するとともに、前記情報を送信に供する制御手段とを有する送受信装置の前記装着部に着脱可能な情報記憶媒体であって、
前記サービス情報の受信を期間管理するための期間情報と前記情報の送信を回数管理するための回数情報とが記憶されていることを特徴とする情報記憶媒体。
【発明の詳細な説明】
【０００１】
【産業上の利用分野】
本発明は、ＦＭ多重放送等による有料のサービス情報（選択呼出しサービスを含む）の受信に好適なサービス情報受信装置、情報送受信装置及び情報記憶媒体に関する。
【０００２】
【従来の技術】
従来、ＦＭ放送電波に文字情報等のサービス情報を多重させて送信し、そのサービス情報を受信側に設けた表示手段に表示させるＦＭ放送電波を媒体としたサービスが考えられている。このサービスは、いわゆる移動体ＦＭ文字多重放送とも称され、見えるラジオ（Ｖｉｓｕａｌ  Ｉｎｆｏｒｍａｔｉｏｎ  Ｒａｄｉｏ）として実用化されつつある。
【０００３】
具体的には、送信側のＦＭ放送局から通常のＦＭ放送電波に文字や数字等の表示情報を多重化させた電波を送信し、受信側に設けた液晶ディスプレイ付きＦＭラジオにより前記電波を受信して、ＦＭ放送電波と文字や数字等の表示情報等とを分離し、表示情報を文字コードに変換して液晶ディスプレイに表示し利用者の視認に供するようにしたものである。これにより、利用者は例えば天気予報、交通情報等を文字により視認することが可能となる。この移動体ＦＭ文字多重放送においては、無料のサービス情報の提供の他、特定のサービス情報については有料化することが考えられている。
【０００４】
【発明が解決しようとする課題】
上述した移動体ＦＭ文字多重放送における有料サービス情報を利用者に提供する場合、この移動体ＦＭ文字多重放送を営む事業者は何等かの方法で利用者から利用料金を徴収する必要がある。しかし、単純に事業者と利用者との間の料金月払い契約等で徴収しようとすると、利用者側の支払い滞納等が生じ易く、利用者の管理が煩雑になるという問題がある。
【０００５】
また、利用者側にしてみれば、事業者又は金融機関等へ利用料金を支払いに行かなければばならず、利用者側の負担が大きいという問題がある。更に、移動体ＦＭ文字多重放送の場合、ＦＭ放送電波を利用する関係上支払い滞納の利用者のみサービス情報の提供を中止することは実際上困難である。
【０００６】
そこで、本発明は、有料のサービス情報の放送を行う際に、利用者にとって利用料金の支払い処理が簡略であり、事業者にとって煩雑さを伴うことなく利用者を管理することのできる情報送受信装置及び情報記憶媒体を提供することを目的とするものである。
【００１０】
【課題を解決するための手段】
前記課題を解決するため本発明にかかる送受信装置は、外部から送信される有料のサービス情報を受信して表示するとともに、外部に情報を送信する送受信装置において、前記サービス情報の受信を期間管理するための期間管理情報と前記情報の送信を回数管理するための回数管理情報とを記憶可能な記憶手段と、この記憶手段に記憶された前記期間管理情報に基づいて前記サービス情報を表示に供するとともに、前記回数管理情報に基づいて情報を送信する処理を行う制御手段とを有している。
【００１１】
さらに、本発明の他の構成にかかる送受信装置は、外部から送信される有料のサービス情報を受信して表示するとともに、外部に情報を送信する送信手段を有する送受信装置において、前記サービス情報の受信を期間管理するための期間管理情報と前記情報の送信を回数管理するための回数管理情報とを記憶してなる情報記憶媒体を着脱可能な装着部と、前記情報記憶媒体に記憶してなる前記期間管理情報に基づいて前記サービス情報を表示に供するとともに、前記回数管理情報に基づいて前記情報を送信に供する制御手段とを有している。
【００１２】
他方、本発明の情報記憶媒体は、外部から送信される有料のサービス情報を受信して表示するとともに、外部に情報を送信する送信手段を有する送受信装置であって、前記サービス情報の受信を期間管理するための期間管理情報と前記情報の送信を回数管理するための回数管理情報とを記憶してなる情報記憶媒体を着脱可能な装着部と、前記情報記憶媒体に記憶してなる期間管理情報と回数管理情報とに基づいて、前記サービス情報を表示に供するとともに、前記情報を送信に供する制御手段とを有する送受信装置の前記装着部に着脱可能であって、前記サービス情報の受信を期間管理するための期間情報と前記情報の送信を回数管理するための回数情報とが記憶されている。
【００１８】
【作用】
前記構成の送受信装置は、期間管理情報に基づいてサービス情報の表示を制御するとともに、回数管理情報に基づいて情報の送信を制御する。したがって、各制御情報による制御により、サービス情報の利用に対する課金システムと、情報の送信に対する課金システムと両立させることが可能となる。また、情報記憶媒体を用いる送受信装置にあっては、単一の情報記憶媒体によりサービス情報の利用に対する課金システムと、情報の送信に対する課金システムの併存を可能にし得る。
【００１９】
また、本発明の情報記憶媒体にあっては、単一の情報記憶媒体により、送受信制御が可能となり、この送受信制御に対応して、送信課金と受信課金の同時システム化が達成される。
【００２０】
この移動体ＦＭ文字多重放送のシステムは、有料及び無料のサービス情報を多重化したＦＭ放送電波を送信する事業者であるＦＭ放送局３と、このＦＭ放送局３からのＦＭ放送電波を受信するサービス情報受信装置１とから構成される。このサービス情報受信装置１は送信機能をも有しており、この送信機能を用いてＦＭ放送局３に送信を行う際には、電話機８０と電話回線網８１とが用いられる。また、サービス情報受信装置１は、情報記憶媒体であるＩＣカード２を着脱自在であって、このＩＣカード２は、ＦＭ放送局３と所定のカード売買契約等を交わしているコンビニエンスストア等の販売店４において販売される。
【００２１】
次に、前記サービス情報受信装置１について、図２から図５を参照して説明する。
【００２２】
このサービス情報受信装置１には、図２に示すように、略直方体状の装置本体１Ａの表面に、キー入力部５、及び表示部６が設けられている。キー入力部５には、文字削除キー７、機能選択キー８、ひらがな、カタカナ及び数字を選択する文字・数字選択キー９、絵文字キー１０、“あ”〜“わ”のひらがな及び“１”〜“０”の数字を入力するひらがな・数字入力キー群１１、放送電波のチューニングを行うチューニングキー１２、ラジオ、サービス情報の切り替えキー１３、情報メニューキー１５、課金譲渡ＳＷ９１、解除ＳＷ９２、確認ＳＷ９３、送信ＳＷ９４、ＦＭ多重の番組選択、カーソル移動、実行、計算実行等を行うカーソルキー１７、情報バンク、電話、計算、シークレット等のモードを選択するモードキー群１８等が設けられている。
【００２３】
前記サービス情報受信装置１の一方の側面には、図３に示すように、ステレオヘッドホン用ジャック１９、音量調整ダイヤル２０、電源スイッチ２１が設けられている。前記サービス情報受信装置１の他方の側面には、図４に示すように、情報記憶媒体であるＩＣカード２を装着するスロット２２が設けられているとともに、ダイアラースピーカ２３が配設されている。
【００２４】
図５は、前記サービス情報受信装置１の構造を示すブロック図であり、ＦＭ放送電波を受信し対応する音声を発音するＦＭラジオ部３０と、このＦＭラジオ部３０により受信したＦＭ放送電波に多重化されている有料、無料のサービス情報の受信に対する各種の処理を行うサービス情報受信部４０とを有している。
【００２５】
前記ＦＭラジオ部３０は、ＦＭ放送電波を受信するアンテナ３１と、ＦＭ放送電波のチューニングを行うＦＭチューナ３２と、ＦＭ信号の復調を行うＦＭ復調器３３と、復調されたＦＭ信号をステレオ信号にするステレオ復調器３４と、このステレオ復調器３４の出力信号を増幅する一対のアンプ３５ａ，３５ｂと、アンプ３５ａ，３５ｂで増幅された信号を音声として出力する一対のスピーカ３６ａ，３６ｂとを具備している。前記ステレオヘッドホン用ジャック１９にステレオヘッドホンを装着してＦＭステレオ放送を聴取することも勿論可能である。
【００２６】
前記サービス情報受信部４０は、前記ＦＭ復調器３３に接続され、前記ＦＭステレオ放送のＬ、Ｒ信号の変調度に対して多重信号の大きさ（レベル）を４〜１０％まで変化するデジタル変調を行いＦＭ放送電波に多重化されているサービス情報を分離するＬ−ＭＳＫ（Level Controlled Minimam Shift Keying)復調器４１と、誤り訂正復号器４２と、分離されたサービス情報に対する各種の処理を行う受信処理部４３とを有している。
【００２７】
受信処理部４３は、処理プログラムを格納したＲＯＭを内蔵しており、この処理プログラムに従って動作することにより、本実施例において制御手段を構成するものである。この受信処理部４３に対して、記憶手段としてのＥＥ−ＲＯＭ４４と、前記キー入力部５及び表示部６と、前記ＩＣカード２に対する読取り書き込み処理を行うカード処理部４５と、受信データ（受信情報）等を記憶する受信データメモリ４７と、前記キー入力部５からの入力データ（入力情報）を記憶する入力データメモリ４８と、受信処理部４３からの指示に従ってダイアラースピーカ２３への信号を生成するモデム４９と、前記キー入力部５におけるチューニングキー１２の操作に応じて前記ＦＭチューナ３２の受信チューニングを行う受信制御部５５とが接続されている。
【００２８】
図６は、前記ＩＣカード２の構成を示すブロック図である。このＩＣカード２は、サービス情報受信装置１とデータの授受を行うコネクタ５１と、後述する有効期間相対値データ等を記憶するＥＥ-ＰＲＯＭ５２と、暗号化受け渡し用のＣＰＵ５３とから構成されている。
【００２９】
図７（Ａ）は、このＩＣカード２におけるＥＥ-ＰＲＯＭ５２のメモリエリア構造を示すものであり、有効期間相対値データ記憶領域５２ａ、使用開始日データ書き込み領域５２ｂ、使用終了日データ書き込み領域５２ｃ、課金種別フラグデータ記憶領域５２ｄ、使用許可回数データ記憶領域５２ｅ、及び有料番組許可数データ記憶領域５２ｆが設けられている。有効期間相対値データ記憶領域５２ａには、有効期間相対値データＵＤが予め記憶されており、この有効期間相対値データＵＤは、有効期間管理型のＩＣカード２にあっては、“日”を単位として１〜３６５のいずれかの相対有効期間を示す９ビットデータで構成され、例えば６ケ月であれば“１８２”を示すデータが、１２ケ月であれば“３６５”を示すデータが、工場出荷時等において予め記憶されている。また、課金ポイント減算型のＩＣカード２にあっては、“１”〜“５１１”のいずれかのポイント数を示す９ビットデータで構成されている。
【００３０】
使用開始日データ書き込み領域５２ｂには、後述する処理により使用開始年データＳＫＹＤと、使用開始月日データＳＫＤＤとが書き込まれる。使用開始年データＳＫＹＤは、１９９４年から２０１０年までを示す４ビットデータで書き込まれ、使用開始月日データＳＫＤＤは、１日から３６５日に対応する０〜３６４の９ビットデータで書き込まれる。したがって、例えば使用開始日が１９９５年１２月３１であるとすると、ＳＫＹＤとして“１９９５”を示す４ビットデータが書き込まれ、ＳＫＤＤとして１２月３１日に対応する“３６４”を示す９ビットデータが書き込まれることとなる。使用終了日データ書き込み領域５２ｃにも、後述する処理により使用終了年データＳＳＹＤと、使用終了月日データＳＳＤＤとが、同様にして各々１９９４年から２０１０年までを示す４ビットデータと、１日から３６５日に対応する０〜３６４の９ビットデータで書き込まれる。
【００３１】
課金種別フラグデータ記憶領域５２ｄには、ＩＣカード２の種別を示す課金種別フラグＫＦが記憶されている。この課金種別フラグＫＦは、“０”により当該ＩＣカード２が有効期間管理型であることを示し、“１”で課金ポイント減算型であることを示す。つまり、この実施例においては、有効期間管理型のＩＣカード２と、課金ポイント減算型との２種類のＩＣカード２を用いており、各ＩＣカード２の種別が課金種別フラグＫＦにより識別される。
【００３２】
また、使用許可回数データ記憶領域５２ｅには、使用許可回数データＳＫＫＤが工場出荷時等において予め書き込まれている。この使用許可回数データＳＫＫＤは、“１”〜“１５”のいずれかの値からなり、後述する処理により使用済みを示す“０”まで書き換えられ得る。さらに、有料番組許可数データ記憶領域５２ｆには、有料番組許可数データＵＢＤが工場出荷時等において予め書き込まれており、この有料番組許可数データＵＢＤは１番組〜３番組に対応する“１”〜“３”のいずれかの値からなる。
【００３３】
この有料番組許可数データＵＢＤと前記有効期間相対値データＵＤ、及び使用許可回数データＳＫＫＤは、当該ＩＣカード２の種類及び販売価格に応じて異なり、販売価格の高いＩＣカード２ほど、大きな値からなる。但し、使用許可回数データＳＫＫＤに関しては、その値が大きいほど１回当たりの単価が低くなるように、ＩＣカード２の価格が設定されることが好ましい。
【００３４】
また、前記ＥＥ−ＲＯＭ４４には、図７（Ｂ）に示すように、本体譲渡終了日データ書き込み領域４４ａと、本体課金ポイント書き込み領域４４ｂとが設けられている。本体終了日データ書き込み領域４４ａには、使用されたＩＣカード２が有効期限管理型である場合において、本体終了年データＨＪＳＹと、本体終了月日データＨＪＳＤとが、各々１９９４年から２０１０年までを示す４ビットデータと、１日から３６５日に対応する０〜３６４の９ビットデータとで書き込まれる。ここで、本体終了年データＨＪＳＹと、本体終了月日データＨＪＳＤとは、ＩＣカード２からサービス情報受信装置１側に譲渡された有料放送を受信し得る期間の終了年と終了月日とを示すデータである。したがって、この両データＨＪＳＹとＨＪＳＤは、ＩＣカード２を装着した後に書き込まれる性質のものであるが、後述する処理の都合上このサービス情報受信装置１の出荷時の年月日が本体終了年データＨＪＳＹと、本体終了月日データＨＪＳＤとして予め記憶されている。
【００３５】
また、本体課金ポイント書き込み領域４４ｂには、使用されたＩＣカード２が有効期限管理型である場合において、前記有効期間相対値データ記憶領域５２ａに記憶されている、前記有効期間相対値データＵＤが課金ポイント数データＨＵＤとして書き込まれる。したがって、この課金ポイント数データＨＵＤも、“１”〜“５１１”ポイント数を示す９ビットデータで構成される。なお、本体課金ポイント書き込み領域４４ｂには、このサービス情報受信装置１の工場出荷時において、課金ポイント数データＨＵＤとして“０”が書き込まれている。
【００３６】
図８は、前記ＦＭ放送局３に配置されるサービス情報送信装置７０を示すものであり、このサービス情報送信装置７０は、送信部７１と、多重化処理部７２と、後述するような有料、無料のサービス情報を多重化処理部７２に送り出す送信処理部７３、及び現在年月日データを発生する計時部７４を具備している。送信部７１は、音声情報のステレオ変調を行うステレオ変調器７５と、ＦＭ変調器７６と、送信器７７と、送信アンテナ７８とを具備している。多重化処理部７２は、符号化部８２，８２、多重化部７９、誤り訂正付加器８０、Ｌ−ＭＳＫ変調器８１を具備している。
【００３７】
前記ＦＭ放送電波に多重化されるサービス情報の送信信号フォーマットについて図９を参照して説明する。サービス情報の送信情報は、年月日データＨＤ、番組表データと、これに続くサービス情報である番組１〜番組Ｎの内容データとで構成され、これら一連のデータが繰り返し送信される。番組表データは、番組表であることを示すＩＤ（ＩＤ＝ＨＩ）、番組総数ＢＳ、及び番組固有データで構成される。この番組固有データは、番組名ＢＭ、有料放送コードＵＨ（“０”で無料を示し“１”で有料を示す）、見本番組有無コードＭＢ（“０”で見本番組無しを示し“１”で見本番組有りを示す）で構成されている。
【００３８】
また、番組１〜番組Ｎの各内容データは、番組内容を示すＩＤ（ＩＤ＝ＮＩ）、各番組１〜番組Ｎ毎に異なる番号である番組番号ＢＢ、本番組内容の大きさを示すデータＨＯ、見本番組の大きさを示すデータＭＯ、及び番組内容データで構成されている。この番組内容データは、表示するサービス情報の内容である本番組内容と、このサービス情報の見本である見本番組内容とで構成されている。
【００３９】
なお、図示は実データであり、実際は誤り訂正用のチェックサムや暗号化処理等を行って送信される。
【００４０】
次に、前記サービス情報受信装置１の動作を図１０以降に示したフローチャートに従って説明する。なお、フローにおいては、下記に示すデータ及びレジスタを用いている。
0003738360.tif 000002
【００４１】
すなわち、サービス情報受信装置１内の受信処理部４３は、電源スイッチ２１の投入に伴って図１０及び図１１に示した一連のフローに従って動作を開始し、多重放送年月日データＨＤの受信を監視する（ＳＡ１）。そして、多重放送年月日データＨＤが受信されると、この多重放送年月日データＨＤをＧＲに格納する（ＳＡ２）。ここで、ＧＲは前記のようにＧＹＲ及びＧＤＲの両レジスタを示すことから、この受信した年月日データＨＤのうち、４ビットの現在年データを現在年データレジスタＧＹＲに格納し、９ビットの現在月日データを現在月日データレジスタＧＤＲに格納する。
【００４２】
次に、ＥＥ−ＲＯＭ４４の本体終了日データ書き込み領域４４ａに書き込まれている本体終了年データＨＪＳＹと、ＧＹＲに格納されている現在年データとを比較し、ＨＪＳＹ＜ＧＹＲであるか否かを判別する（ＳＡ３）。この本体終了年データＨＪＳＹは、図１１のＳＡ２９において後述するように、ＩＣカード２からサービス情報受信装置１側（以下、装置本体側という）に譲渡された有料放送を受信し得る有効期間の終了年を示している。したがって、ＳＡ３の判別の結果、ＨＪＳＹ＜ＧＹＲの関係にあれば、ＩＣカード２から装置本体側に譲渡された有料放送を受信し得る譲渡有効期間の終了年を過ぎており、この場合にはＳＡ４，ＳＡ５の判別を行うことなく、ＳＡ６に進む。また、ＨＪＳＹ＜ＧＹＲの関係にないのであれば、更に本体終了年データＨＪＳＹとＧＹＲに格納されている現在年データとが等しいか否かを判別する（ＳＡ４）。この判別の結果、ＨＪＳＹ≠ＧＹＲであれば、譲渡有効期限の終了年前であって、現時点は譲渡有効期限内であることが明らかである。よって、ＩＣカード２から装置本体に有効期限を譲渡するための課金譲渡ＳＷ９１が押されずとも（ＳＡ９がＮＯ）、有料放送受信モードを設定する（ＳＡ１３）。
【００４３】
しかし、ＨＪＳＹ＝ＧＹＲであって、譲渡終了年データと現在年データとが一致している場合には、さらに、本体終了日データ書き込み領域４４ａに書き込まれている本体終了月日データＨＪＳＤとＧＤＲに格納されている現在日データとを比較する（ＳＡ５）。この本体終了月日データＨＪＳＤも、図１１のＳＡ２９において後述するように、ＩＣカード２側から装置本体側に譲渡された有料放送を受信し得る譲渡有効期間の終了月日を示している。したがって、ＳＡ５の判別の結果ＨＪＳＤ≦ＧＤＲであれば、既に譲渡有効期間を過ぎており、この場合にはＳＡ６に進む。しかし、ＨＪＳＤ＞ＧＤＲであれば、本体終了日前であることから、前述と同様に、課金譲渡ＳＷ９１が押されずとも（ＳＡ９がＮＯ）、有料放送受信モードを設定する（ＳＡ１３）。
【００４４】
ここで、このサービス情報受信装置１を購入後本日初めて使用したのであれば、前述のように、ＥＥ−ＲＯＭ４４の本体終了日データ書き込み領域４４ａには、当該サービス情報受信装置１の出荷時の年月日が本体終了年データＨＪＳＹと、本体終了月日データＨＪＳＤとして予め記憶されている。そして、出荷時の年月日は、ユーザーがこのサービス情報受信装置１の使用を開始する時点よりも必ず前である。したがって、このサービス情報受信装置１の使用を開始した時点においては、ＳＡ３→ＳＡ６又はＳＡ３→ＳＡ４→ＳＡ５→ＳＡ６と進むこととなる。そして、このＳＡ６では、課金譲渡ＳＷ９１が押されたか否かを判別して、押されない場合には、非有料放送受信モードを設定する（ＳＡ８）。また、譲渡有効期限は過ぎているが課金譲渡ＳＷ９１が押された場合には、ＩＣカード２がスロット２２に装着されているか否かを判別して（ＳＡ７）、装着されていない場合には、非有料放送受信モードを設定する（ＳＡ８）。
【００４５】
つまり、本日が、ＥＥ−ＲＯＭ４４の本体終了日データ書き込み領域４４ａに書き込まれている本体終了日より前であって、譲渡有効期限内であれば、ＩＣカード２の装着の有無に拘わらず有料放送受信モードを設定し（ＳＡ１３）、譲渡有効期限を過ぎている場合には、課金譲渡ＳＷ９１が押されない場合、あるいは課金譲渡ＳＷ９１が押されてもＩＣカード２が装着されていない場合に、非有料放送受信モードを設定する（ＳＡ８）。
【００４６】
また、譲渡有効期限は過ぎているが、課金譲渡ＳＷ９１が押され且つＩＣカード２が装着されている場合、つまりＳＡ７の判別がＹＥＳである場合には、該ＳＡ７から図１１のＳＡ１７に進み、使用許可回数データＳＫＫＤ＝０であるか否かを判別する。この判別の結果、ＳＫＫＤ＝０であれば現在装置本体に装着されているＩＣカード２は、後述するように当該ＩＣカード２の有効期限を、ＳＫＫＤが示す回数をもって、当該装置本体あるいは他の装置本体に譲渡してしまった、使用済みのものである。よって、「これは使用済みの電子カードです。新しいカードをご使用下さい。」とＬＣＤ（表示部６）に表示する（ＳＡ３３）。引き続き、５秒間タイマー処理（ＳＡ３４）を行ってこの表示を５秒間継続し、しかる後に非有料放送受信モードを設定して（ＳＡ３５）、ＳＡ１に戻る。
【００４７】
つまり、課金譲渡ＳＷ９１が押され且つＩＣカード２が装着されている場合であっても、前記譲渡有効期限を過ぎており、またＩＣカード２が使用済みのものであれば、当該ＩＣカード２から装置本体に有効期限を譲渡することはできないことから、非有料放送受信モードを設定する。また、この非有料放送受信モードの設定に際して、前記表示（ＳＡ３３）を行うことにより、有料放送受信モードが設定されない理由を明示して、サービス情報受信装置１が故障したとの誤解やＩＣカード２が不良であるとの誤解の発生を未然に防止するとともに、ユーザーにＩＣカード２の購入を促すのである。
【００４８】
他方、ＳＡ１７の判別の結果、ＳＫＫＤ≠０であれば、装着されているＩＣカード２には、当該ＩＣカード２の有効期限を、ＳＫＫＤが示す回数までは、当該装置本体あるいは他の装置本体に譲渡してはおらず、この場合には、課金種別フラグＫＦが“０”であるか否かを判別する（ＳＡ１８）。この判別の結果、ＫＦ≠０つまりＫＦ＝１であれば、現在装置本体に装着されているＩＣカード２は、課金ポイント減算型（送信用）であり、この場合には後述する課金ポイント処理（ＳＡ３６）を行った後、非有料放送受信モードを設定する（ＳＡ２８）。
【００４９】
また、ＳＡ１８での判別の結果、ＫＦ＝０であれば、現在装置本体に装着されているＩＣカード２は、有効期限管理型であり、有効期限を装置本体に譲渡可能なタイプのＩＣカード２である。よって、この有効期限管理型の当該ＩＣカード２を用いて今回の期限譲渡を行ったこの日を示す、ＧＹＲに格納されている現在年データを、使用開始年データＳＫＹＤとして、ＥＥ-ＰＲＯＭ５２の使用開始日データ書き込み領域５２ｂに書き込むとともに、ＧＤＲに格納されている現在月日データを、使用開始月日データＳＫＤＤとして、同使用開始日データ書き込み領域５２ｂに書き込む（ＳＡ１９）。
【００５０】
次に、ＥＥＰＲＯＭ５２の有効期間相対値データ記憶領域５２ａから、有効期間相対値データＵＤを読み取って、この有効期間相対値データＵＤとＧＤＲに格納されている現在月日データを加算し、その値を日付演算レジスタＨＺＲに格納する（ＳＡ２０）。引き続き、ＨＺＲの値が３６４以下であるか否かを判別する（ＳＡ２１）。ここで、ＨＺＲの値が３６４以下であれば、“年”の値を繰り上げなくても、現在年と、現在月日＋有効期間相対値データとで、使用終了日を示すことができる。よって、この場合にはＧＹＲに格納されている現在年データをそのまま、使用終了年データＳＳＹＤとして、使用終了日データ書き込み領域５２ｃに書き込むとともに（ＳＡ２２）、ＨＺＲに格納されている“現在月日＋有効期間相対値データ”を使用終了月日データＳＳＤＤとして、同使用終了日データ書き込み領域５２ｃに書き込む（ＳＡ２３）。
【００５１】
しかし、ＳＡ２１での判別の結果、ＨＺＲの値が３６４を超える場合には、“年”の値を繰り上げなければ、１日から３６５日に対応する０〜３６４の数値で使用終了日を表すことができない。そこで、ＧＹＲに格納されている現在年データの値をインクリメントして、このインクリメントした値を使用終了年データＳＳＹＤとして、使用終了日データ書き込み領域５２ｃに書き込む（ＳＡ２４）。引き続き、ＨＺＲに格納されている“現在月日＋有効期間相対値データ”から３６４を減じて、その値を使用終了月日データＳＳＤＤとして、同使用終了日データ書き込み領域５２ｃに書き込む（ＳＡ２５）。
【００５２】
しかる後に、確認ＳＷ９３と解除ＳＷ９２とのいずれかが押されるまでＳＡ２６→ＳＡ２７→ＳＡ２６のループを繰り返して、待機状態を維持する。このループを繰り返している待機中に、ユーザーにより解除ＳＷ９２が押されると、非有料放送受信モードを設定し（ＳＡ２８）、しかる後にＳＡ１に戻る。
【００５３】
しかし、解除ＳＷ９２が押されることなく確認ＳＷ９３が押された場合には、ＳＡ２６からＳＡ２９に進み、ＳＳＹＤの値とＳＳＤＤの値とを、本体終了年データＨＪＳＹと本体終了月日データＨＪＳＤとして、ＥＥ−ＲＯＭ４４の本体終了日データ書き込み領域４４ａに書き込む。引き続き、後述する使用許可回数処理（ＳＡ３０）を行い、ＩＣカード２から装置本体に有効期間が譲渡されたことから、有料放送受信モードを設定するとともに（ＳＡ３１）、後述する有料番組受信設定処理（ＳＡ３２）を実行して、ＳＡ１に戻る。
【００５４】
すなわち、ＳＡ２９の処理が実行されることにより、本日スロット２２に装着したＩＣカード２の有効期間が装置本体側に譲渡されたこととなる。よって、ＳＡ１からの処理が繰り返し実行された際に、有効期間が終了するまでは、ＳＡ３がＮＯとなるとともに、ＳＡ４又はＳＡ５がＮＯとなってＳＡ９に進み、課金譲渡ＳＷ９１が押されると否とに拘わらず、有料放送受信モード（ＳＡ１３）が設定され続けられる。
【００５５】
このとき、ユーザーが課金譲渡ＳＷ９１を押したとすると、ＳＡ９からＳＡ１０に進み、課金種別フラグＫＦが“０”であるか否かを判別する。この判別の結果、ＫＦ＝０であれば、現在装置本体に装着されているＩＣカード２は、有効期限管理型であり、この場合には、「まだ、使用期限内ですので、使用期限の終了後、課金譲渡を行って下さい」をＬＣＤ（表示部６）に表示する。引き続き５秒間タイマー処理を行って（ＳＡ１２）、この表示を５秒間継続した後、前述した有料放送受信モードを設定する（ＳＡ１３）。したがって、この表示によりユーザーは、未だ装置本体に譲渡されている使用期限内であって、支障なく有料放送を受信できることを知ることができる。
【００５６】
また、ＳＡ１３の処理を行った後はＳＡ１に戻ることから、このように装置本体側の譲渡された使用期限が満了する前に、使用期間譲渡ＳＷ９１を押しても、前述のＳＡ２９の処理が実行されることはなく、このＳＡ２９の処理は禁止される。したがって、装置本体側に譲渡された使用期限が満了する前に、ＩＣカード２をスロット２２に装着して使用期間譲渡ＳＷ９１を押してしまった場合であっても、ＩＣカード２の有効期間が装置本体に譲渡されてしまうことはない。よって、予め装置本体側に譲渡されている有効期間が無駄になってしまう不都合を防止して、かかる操作によってユーザーが不利益を被る不都合を未然に防止することができる。なお、このように本実施例では、装置本体側に譲渡された使用期限が満了する前に、ＩＣカード２側からの期限譲渡を禁止するようにしたが、禁止することなく、装置本体に譲渡された使用期限に、新たにＩＣカード２側から譲渡された期限を加算するようにしてもよい。
【００５７】
他方、ＳＡ１０での判別の結果、ＫＦ＝１であれば、現在装置本体に装着されているＩＣカード２は、課金ポイント減算型である。この場合には、ＩＣカード２がスロット２２に装着されている否かを再確認し（ＳＡ１４）、装着されていない場合には、前述したＳＡ１３に進む。また、装着されている場合には、使用許可回数データＳＫＫＤ＝０であるか否かを判別する（ＳＡ１５）。この判別の結果、ＳＫＫＤ＝０であれば現在装置本体に装着されている課金ポイント減算型のＩＣカード２は、後述するように当該ＩＣカード２の課金ポイントを、ＳＫＫＤが示す回数をもって、当該装置本体あるいは他の装置本体に譲渡してしまった、使用済みのものである。よって、このＳＡ１５から前述した図１１のＳＡ３３に進み、「これは使用済みの電子カードです。新しいカードをご使用下さい。」とＬＣＤ（表示部６）に表示する。引き続き、５秒間タイマー処理（ＳＡ３４）を行ってこの表示を５秒間継続し、しかる後に非有料放送受信モードを設定して（ＳＡ３５）、ＳＡ１に戻る。
【００５８】
しかし、ＳＡ１７の判別の結果、ＳＫＫＤ≠０であれば、装着されているＩＣカード２には、当該ＩＣカード２の課金ポイントを、ＳＫＫＤが示す回数までは、当該装置本体あるいは他の装置本体に譲渡してはいない。したがって、後述する課金ポイント譲渡処理を行った後（ＳＡ１６）、有料放送受信モードを設定し（ＳＡ１３）、しかる後にＳＡ１に戻る。
【００５９】
前記使用許可回数処理（ＳＡ３０）は、図１２に示すフローに従って行われる。すなわち、前述のＳＡ２９の処理により当該ＩＣカード２の有効期間が装置本体に１回譲渡されたことから、ＥＥ−ＰＲＯＭ５２の使用許可回数データ記憶領域５２ｅに書き込まれている使用許可回数データＳＫＫＤをデクリメントして、その値を当該領域５２ｆに書き込む（ＳＢ１）。次に、この書き込んだ使用許可回数データＳＫＫＤが“０”となっているか否かを判別する（ＳＢ２）。
【００６０】
この判別の結果、ＳＫＫＤ＝０であれば、このＩＣカード２は工場出荷時等において書き込まれていた使用許可回数データＳＫＫＤが示す回数をもって、当該装置本体あるいは他の装置本体に有効期限の譲渡を行ってしまったものである。よって、「この電子カードはもう御使用になれません」をＬＣＤ（表示部６）に表示し（ＳＢ５）、引き続き、５秒間タイマー処理（ＳＢ６）を行ってこの表示を５秒間継続した後、この使用許可回数処理を終える。したがって、このＩＣカード２の使用者は、この表示を見ることにより、今回の期限譲渡により、ＩＣカード２を使用許可回数まで期限譲渡を行ってしまったことを認識することができる。
【００６１】
つまり、本実施例に用いた有効期限管理型のＩＣカード２は、有効期間相対値データ書き込み領域５２ａに書き込まれている有効期間相対値データＵＤが示す有効期間を、使用許可回数データ記憶領域５２ｅに書き込まれている使用許可回数データＳＫＫＤが示す回数をもって、任意の装置本体に譲渡することができる。したがって、例えば有効期間相対値データＵＤが示す有効期間が３カ月であって、使用許可回数データＳＫＫＤが示す回数が“１０”であったとすると、３カ月ずつの有効期間を延べ１０台の装置本体に譲渡することができる（すなわち、当該ＩＣカード２は、３カ月×１０＝３０カ月の延べ有効期間を有している）。よって、ある団体が１枚あるいは複数枚のＩＣカード２を購入して、当該ＩＣカード２を団体構成員に使用させる使用形態が可能となる。この場合、前述のように、使用許可回数データＳＫＫＤに関しては、その値が大きいほど１回当たりの単価が低くなるように、ＩＣカード２の価格を設定しておけば、実質的に団体割り引きが行われることとなる。
【００６２】
また、ＳＢ２での判別の結果、ＳＫＫＤ≠０であって、使用許可回数が残っている場合には、「この電子カードはあと●  回使用できます」をＬＣＤ（表示部６）に表示するとともに（ＳＢ３）、上記●の位置にＳＫＫＤの値を十進数で上書きする（ＳＢ４）。よって、このＩＣカード２を用いて期限譲渡を行った者は、この表示を見ることにより、後何回このＩＣカード２から期限譲渡できるかを認識することができる。
【００６３】
一方、前記課金ポイント譲渡処理（ＳＡ１６，ＳＡ３６）は、図１３に示すフローに従って行われる。すなわち、ＥＥ−ＲＯＭ４４の本体課金ポイント書き込み領域に書き込まれている課金ポイント数データＨＵＤの値に、ＩＣカード２側から今回譲渡されようとしている課金ポイント数データＵＤの値を加算した値が、５１１以下か否かを判別する（ＳＧ１）。この判別の結果、ＨＵＤ＋ＵＤ＞５１１であった場合には、「もう少し送信機能を使用してから課金譲渡を行ってください」をＬＣＤ（表示部６）に表示する（ＳＧ２）。引き続き、５秒タイマー処理（ＳＧ３）を行って、前記表示を５秒間継続した後、この課金ポイント譲渡処理を終える。したがって、装置本体に過剰に課金ポイントが譲渡されてしまうことがなく、１枚のＩＣカード２を多数の者で共用する場合、後述する送信機能の使用頻度に応じて、課金ポイントを適切に配分することができる。
【００６４】
また、ＳＧ１での判別の結果、ＨＵＤ＋ＵＤ≦５１１であった場合には、送信機能が充分使用されて現在のＨＵＤが少ないものと見做し、ＨＵＤ＋ＵＤの値を新たな課金ポイント数データＨＵＤとして、ＥＥ−ＲＯＭ４４の本体課金ポイント書き込み領域４４ｂに書き込む（ＳＧ４）。しかる後に、図１２をもって説明した使用許可回数処理を実行し（ＳＧ５）、この課金ポイント譲渡処理を終える。つまり、本実施例に用いた課金ポイント型のＩＣカード２にあっても、有効期間相対値データ書き込み領域５２ａに書き込まれている有効期間相対値データＵＤが示す課金ポイント数を、使用許可回数データ記憶領域５２ｅに書き込まれている使用許可回数データＳＫＫＤが示す回数をもって、任意の装置本体に譲渡することができる。したがって、例えば有効期間相対値データＵＤが示す課金ポイント数が“３００”であって、使用許可回数データＳＫＫＤが示す回数が“１０”であったとすると、３００の課金ポイントを延べ１０台の装置本体に譲渡することができる（すなわち、当該ＩＣカード２は、３００×１０＝３０００ポイントの延べ課金ポイントを有している）。よって、ある団体が１枚あるいは複数枚のＩＣカード２を購入して、当該ＩＣカード２を団体構成員に使用させる使用形態が可能となる。この場合、前述のように、使用許可回数データＳＫＫＤに関しては、その値が大きいほど１回当たりの単価が低くなるように、ＩＣカード２の価格を設定しておけば、前述と同様にして実質的に団体割り引きが行われることとなる。
【００６５】
なお、この実施例においては、ＩＣカード２のＥＥ−ＰＲＯＭ５２に記憶されている有効期間相対値データＵＤに基づいて、本体終了年データＨＪＳＹと本体終了月日データＨＪＳＤや、課金ポイント数データＨＵＤを装置本体側のＥＥ−ＲＯＭ４４に書き込んで課金管理を行うようにしたが、書き込みを行うことなく、ＩＣカード２から有効期間相対値データＵＤを直接読み取って、期限管理を行うようにしてもよい。また、ＩＣカード２を用いることなく、ＲＯＭライターにより、ＥＥ−ＲＯＭ４４に本体終了年データＨＪＳＹと本体終了月日データＨＪＳＤ、課金ポイント数データＨＵＤ相当するデータを直接書き込んで、課金管理を行うようにしてもよい。
【００６６】
他方、受信処理部４３は、以上の図１０〜１３に示す処理とともに、図１４に示す処理を並行して実行する。すなわち、予めＦＭチューナ３２に設定されている周波数に応じたＦＭ放送電波を受信して、番組表を示すＩＤであるＨＩの受信を監視し（ＳＣ１）、ＨＩを受信したならば番組表データを取り込んで（ＳＣ２）、後述する番組選択画面作成処理（ＳＣ３）を実行する。しかる後、番組内容データを取り込んで（ＳＣ４）、後述する番組選択操作処理（ＳＣ５）を実行した後、ＳＣ１に戻る。
【００６７】
前記番組選択画面作成処理（ＳＣ３）は、図１５に示すフローに従って行われ、表項目、枠を描画した後（ＳＤ１）、ＢＭ１〜Ｎの番組名を表示する（ＳＤ２）。このＳＤ１及びＳＤ２の処理により、図１８（Ａ）に示すように表示部６には、「番組名」「有料」「見本番組」の表項目とともに枠が表示される。引き続き、有料放送コードＵＨ＝１である番組の「有料」欄に「〇」を描画するとともに（ＳＤ３）、見本番組有無コードＭＢ＝１である番組の「見本番組」欄に「〇」を描画する（ＳＤ４）。したがって、例えば受信信号が下記及び図９に示したデータを有しているとすると、以上の処理により図１８（Ａ）に示すように、「番組名」欄には「番組ａ」〜「番組ｄ」が表示され、「有料」欄には「番組ｂ」〜「番組ｄ」に対応して「〇」が表示され、「見本番組」欄には「番組ｃ」及び「番組ｄ」に対応して「〇」が表示されることとなる。
【００６８】
ＢＳ＝４
ＢＭ＝番組ａ、ＵＨ＝０，ＭＢ＝０，ＢＢ＝１
ＢＭ＝番組ｂ、ＵＨ＝１，ＭＢ＝０，ＢＢ＝２
ＢＭ＝番組ｃ、ＵＨ＝１，ＭＢ＝１，ＢＢ＝３
ＢＭ＝番組ｄ、ＵＨ＝１，ＭＢ＝１，ＢＢ＝４
また、ＳＤ５では、有料放送受信モードであるか否かを判別し、該モードでない場合には、有料放送コードＵＨ＝１の番組の「有料」欄を網掛けするとともに（ＳＤ６）、ＵＨ＝１かつ見本番組有無コードＭＢ＝０の番組の「番組名」欄を網掛けする（ＳＤ７）。このＳＤ６及びＳＤ７の処理により、図１８（Ａ）に例示するように、「番組ｂ」の「番組名」欄及び「番組ｂ」〜「番組ｄ」の「有料」欄に網掛けが表示される。つまり、「番組名」欄の網掛けにより、見本番組のない有料番組であることが示されるとともに、「有料」欄の網掛けにより、表示不可能な有料番組であることが示される。
【００６９】
しかし、有料放送受信モードである場合には、ＳＤ５からＳＤ８に進み、有料放送コードＵＨ＝１の番組の「有料」欄を網掛けする。次に、ＮＲに“１”をセットした後（ＳＤ９）、このＮＲの示すＫＢＲの値の「有料」欄の網掛けを消す（ＳＤ１０）。ここで、許可番組番号レジスタＫＢＲは、前述のようにＫＢＲ１〜４で構成され、ＫＢＲ１〜３には、後述する処理により有料視認することに決めた番組番号（本例の場合２〜４のいずれか）が格納される。このとき有料視認することを決めた番組番号はＫＢＲ１から順に格納され、また、ＫＢＲ４は常時“０”が格納されている。
【００７０】
そこで、先ずＳＤ９では、ＮＲ＝１をセットして、続くＳＤ１０でＫＢＲ１の値に対応する番組番号の「有料」欄の網掛けを消し、これにより当該番組番号の番組が有料視認として選択されていることを示す。次に、このＫＢＲ１の値の番組の見本番組有無コードＭＢ＝１であるか否かを判別し（ＳＤ１１）、ＭＢ＝１であって見本番組がある場合には、同番組に対応する「見本番組」欄を網掛けする（ＳＤ１２）。これにより、この番組は有料視認として選択されているから、見本番組の視認は不要であることを示す。引き続き、ＮＲをインクリメントした後（ＳＤ１３）、このインクリメントしたＮＲの示すＫＢＲの値が“０”であるか否かを判別し（ＳＤ１４）、“０”でない場合にはＳＤ１０に戻り、“０”である場合には、この番組選択画面作成処理を終了する。
【００７１】
したがって、例えばＫＢＲ１〜３の全てに番組番号が格納されている場合には、ＳＤ１０〜ＳＤ１４のループが３回繰り返されることとなり、ＮＲ＝４となったとき、ＫＢＲ４は常に“０”であることからＳＤ１４からストップ処理に進むこととなる。また、例えば“ＭＢ２＝番組ｂ”と“ＭＢ４＝番組ｄ”（この“ＭＢ４＝番組ｄ”は見本番組有）とが予め選択されている場合には、前記ループが２回繰り返され、図１８（Ｂ）に示すように、「３．番組ｃ」の「有料」欄に網掛けが残り、「４．番組ｄ」の「見本番組」欄に網掛けが付される。つまり、「有料」欄の網掛けにより選択されていない有料番組であることが示されるとともに、「見本番組」欄の網掛けにより当該有料番組が選択されていて、見本番組の視認は不可能であることが示される。
【００７２】
一方、前記有料番組受信設定処理（図１１ＳＡ３２）は、図１６に示すフローに従って行われ、表項目、枠を描画した後（ＳＥ１）、ＢＭ１〜Ｎの番組名を表示し（ＳＥ２）、さらに有料放送コードＵＨ＝０（無料）の「番組名」「設定」欄を網掛けする（ＳＥ３）。このＳＥ１〜ＳＥ３の処理により、図１８（Ｃ）に示すように表示部６には、「番組名」「設定」の表項目及び枠が表示され、「番組名」欄に「番組ａ」〜「番組ｄ」が表示されるとともに、無料番組である「番組ａ」に網掛けが表示される。これにより、選択対象となる有料番組の「番組ｂ」〜「番組ｄ」が網掛けのない状態となって明瞭化する。
【００７３】
次に、番組許可演算レジスタＢＺＲに有料番組許可数データＵＢＤの値（１〜３のいずれか）を格納し（ＳＥ４）、ＮＲに初期値“１”をセットした後（ＳＥ５）、ＳＷ１〜９が押されたか否かを判別する（ＳＥ６）。ここで、ＳＷ１〜９とは、図２に示した文字・数字選択キー９が数字選択の状態である場合における、ひらがな・数字入力キー群１１の“１”〜“９”に対応するキーである。そして、これらＳＷ１〜９のいずれかが押されたならば、押されたＳＷ番号は番組総数ＢＳ（本例では、前記のようにＢＳ＝４）以下か否かを判別し（ＳＥ７）、ＢＳ以下でない場合にはＳＥ６に戻る。また、ＢＳ以下である場合には、ＳＷ番号と同じ番組番号の有料放送コードＵＨが“１”であるか否かを判別する（ＳＥ８）。
【００７４】
そして、ＵＨ＝０であって無料であればＳＥ６に戻り、ＵＨ＝１であって有料であれば、上記番組つまりＳＷ番号と同じ番組番号の番組の「設定」欄に「〇」を描画する（ＳＥ９）。さらに、ＮＲの示すＫＢＲに押されたＳＷ番号を格納し（ＳＥ１０）、ＢＺＲをディクリメントした後（ＳＥ１１）、ＢＺＲ＝０となっているか否かを判別する（ＳＥ１２）。そして、ＢＺＲ≠０であれば、ＮＲをインクリメントして（ＳＥ１３）、ＳＥ６に戻り、ＢＺＲ＝０となるまでＳＥ６〜ＳＥ１３のループを繰り返し、ＢＺＲ＝０となった時点でこの有料番組受信設定処理を終了する。したがって、例えば有料番組許可数データＵＢＤが“２”であり、ＳＷ２とＳＷ４とを順次押したとすると、ＳＥ９の処理により図１８（Ｃ）に示すように、「番組ｂ」と「番組ｄ」の「設定」欄に「〇」が表示され、ＳＥ１０の処理によりＫＢＲ１＝２、ＫＢＲ２＝４となり、かつ、ＫＢＲ３＝０、ＫＢＲ４＝０のままであるとともに、ＢＺＲ＝２−１−１＝０となって、この有料番組受信設定処理を終了する。
【００７５】
また、このとき同図に示すように「設定可能番組数」の値が表示され、この「設定可能番組数」の値は、本例の場合２→１→０と変化してその値を減少させつつ、順次設定可能な番組数を示す。よって、これを視認することにより、設定可能な番組数を認識しつつ設定操作を行うことができる。
【００７６】
前記番組選択操作処理（ＳＣ５）は、図１７に示すフローに従って行われる。すなわち、前述のＳＷ１〜９が押されたか否かを判別し（ＳＦ１）、これらＳＷ１〜９のいずれかが押されたならば、さらに押されたＳＷ番号は番組総数ＢＳ以下か否かを判別する（ＳＦ２）。ＢＳ以下である場合には、ＳＷ番号と同じ番組番号の有料放送コードＵＨが“０”であるか否かを判別し（ＳＦ３）、ＵＨ＝０であって無料であれば、即時に上記番組の本番組内容データを表示処理する（ＳＦ４）。このＳＦ４の処理により、受信データメモリ４７に記憶されている無料番組（本例では「番組ａ」）の本番組内容が読み出され、表示部６に表示される。次に、送信ＳＷ９４が押されたか否かを判別し、押された場合には後述する送信処理（ＳＦ６）を実行する。
【００７７】
また、ＳＦ３での判別の結果、ＵＨ＝１であって有料番組である場合には、有料放送受信モードであるか否かを判別し（ＳＦ７）、有料放送受信モードである場合には、ＮＲに“１”をセットする（ＳＦ８）。次に、ＮＲの示すＫＢＲの値は押されたＳＷと同じであるか否かを判別し（ＳＦ９）、同じであれば上記番組の本番組内容データを表示処理する（ＳＦ１０）。引き続き、前述したＳＦ５の判別を行い、送信ＳＷ９４が押された場合には、送信処理（ＳＦ５）を実行する。しかし、ＳＦ９の判別の結果、ＮＲの示すＫＢＲの値と押されたＳＷの値とが同じでない場合には、ＮＲをインクリメントした後（ＳＦ１１）、ＮＲの示すＫＢＲの値が“０”か否かを判別し（ＳＦ１２）、“０”でなければＳＦ９に戻り、“０”であればＳＦ１３に進む。
【００７８】
すなわち、図１６をもって前述した有料番組受信設定処理において操作したＳＷと同一番号のＳＷを操作すると、ＳＦ９において必ずＮＲの示すＫＢＲの値が押されたＳＷ番号と同じとなる。つまり、図１６の有料番組受信設定処理おける例では、ＳＷ“２”とＳＷ“４”とを順次押し、前記ＳＣ５の処理によりＫＢＲ１＝２、ＫＢＲ２＝４であり、かつ、ＫＢＲ３＝０、ＫＢＲ４＝０がセットされている。したがって、この番組選択操作処理中において、ＳＷ“２”を操作すると、ＮＲ＝１の時点で、ＮＲ＝１が示すＫＢＲ１が“２”であることとなって、ＳＦ９でＳＷ“２”の番号とＫＢＲ１の値“２”とが同じとなる。よって、ＳＦ１０では、番組番号２である「番組ｂ」の番組内容を表示部６に表示させる。
【００７９】
また、この番組選択操作処理中において、ＳＷ“４”を操作すると、ＮＲ＝２の時点で、ＮＲ＝２が示すＫＢＲ２が“４”であることとなって、ＳＦ９でＳＷ“４”の番号とＫＢＲ２の値“４”とが同じとなる。よって、ＳＦ１０では、番組番号４である「番組ｄ」の番組内容を表示部６に表示させる。よって、このように番組選択操作処理中において、有料番組受信設定処理時と同じ番号のＳＷを操作することにより、予め視認することを決定した有料番組の内容を視認することができる。
【００８０】
なお、本例においては前述のように、ＫＢＲ３＝０、ＫＢＲ４＝０がセットされていることから、ＮＲ＝３となった時点で、ＮＲ＝３が示すＫＢＲ３＝０であることにより、ＳＦ１２からＳＦ１３に進む。しかし、ＫＢＲ３にある番組番号が格納されている場合であっても、ＫＢＲ４に常時“０”が格納されていることから、ＮＲ＝４となった時点でＳＦ１２からＳＦ１３に進むこととなる。
【００８１】
そして、ＮＲの示すＫＢＲの値＝０であって有料番組受信設定処理時と異なる番号のＳＷを操作した場合、及び無料放送受信モードである場合に、ＳＦ７及びＳＦ１２に続くＳＦ１３では、ＳＷ番号と同じ番組番号の見本番組有無コードＭＢ＝１であるか否かを判別し（ＳＦ１３）、ＭＢ＝０であって見本番組がない場合にはこの番組選択操作処理を終了し、ＭＢ＝１であって見本番組がある場合には、上記番組の見本番組内容データを表示処理する（ＳＦ１４）。
【００８２】
したがって、有料番組受信設定処理時と異なる番号のＳＷを操作することにより、番組選択していない他の有料番組に見本番組があれば、これを自由に視認することができるとともに、ＩＣカード２から装置本体に譲渡された有効期間が終了している場合には、番組総数ＢＳ以内の番号のＳＷを操作して、見本番組があれば、これを自由に視認することができる。また、ＳＦ１４に続くＳＦ１５では、送信ＳＷ９４がおされたか否かを判別して、押された場合には送信処理を実行する（ＳＦ１６）。
【００８３】
この送信処理（ＳＦ６，ＳＦ１６）は、図１９に示すフローに従って行われる。すなわち、ＥＥ−ＲＯＭ４４の本体課金ポイント書き込み領域４４ｂに書き込まれている本体課金ポイント数データＨＵＤの値が“０”となったか否かを判別する（ＳＨ１）。そして、ＨＵＤ≠０であって、本体に課金ポイントが残存している場合には、モデム４９に表示データ転送命令を送出し（ＳＨ２）、しかる後に本体課金ポイント数データＨＵＤをデクリメントして、その値を本体課金ポイント書き込み領域４４ｂに書き込む。したがって、ＨＵＤは送信ＳＷ９４が押されて表示データ転送命令がなされる都度、つまり１回の送信を行う都度“１”ずつ減少する。また、ＳＨ２の表示データ転送命令においては、受信データメモリ４７に記憶されている所定の受信データをモデム４９に転送する。したがって、受信データメモリ４７に記憶されている受信した曲名を、モデム４９及びダイアラースピーカ２３を介して出力し、さらに電話機８１及び電話回線網８０を介して、ＦＭ放送局３に送信することにより、前記曲名によりリクエストする等の使用が可能となる。
【００８４】
そして、このように送信ＳＷ９４が押される毎に減少するＨＵＤの示す値が、“０”になると、ＳＨ１からＳＨ４に進み、「課金ポイントがもうないので送信することができません。」をＬＣＤ（表示部６）に表示し、さらに５秒間タイマー処理を行って、この表示を５秒間表示して、この送信処理を終える。したがって、ユーザーはこの表示を見ることにより、送信ＳＷ９４を押してもデータが転送されない理由を認識することができ、装置に故障が発生したと誤認する不都合を未然に防止することができるとともに、ＩＣカード２からの課金ポイントの譲渡が促されることとなる。
【００８５】
なお、実施例においては、受信に対する管理を期間により行い、送信に対する管理を課金ポイント数により行うようにしたが、受信と送信に対する管理を各々期間と課金ポイント数で行うようにしてもよい。また、実施例においては、期間管理型のＩＣカード２と、課金ポイント減算型との２種類のＩＣカード２を用いるようにしたが、１枚の各ＩＣカード２に、有効期間管理型に必要なデータと課金ポイント減算型に必要なデータとを書き込んで、共通タイプのＩＣカード２としてもよい。さらに、実施例においては情報記憶媒体としてＩＣカードを示したが、これに限ることなく、コイン状のＩＣチップや、切手型のＩＣチップ等、他の媒体を用いてもよい。また、本発明は、移動体ＦＭ多重放送のシステムに適用する他、無線通信を利用するページングシステム等や、各種の通信、放送に幅広く適用できることは勿論である。
【００８６】
【発明の効果】
以上説明したように本発明の送受信装置によれば、有料のサービス情報の受信を期間管理する課金システムと送信を回数管理する課金システムとを併存させることが可能となる。
【００８８】
また、情報記憶媒体から情報を読み取って記憶する記憶手段を備える送受信装置にあっては、装置本体に情報記憶媒体を装着するための複数のスロットを設けずとも、複数種の情報に対応した複数の課金システムの併存が可能となる。よって、装置の大型化や複雑化を伴わずに、複数の課金システムを併存させることができる。また、情報が、サービス情報の受信を期間管理するための期間情報と、前記サービス情報の受信を回数管理するための回数情報とであることにより、期間管理により安定した料金徴収が可能となり、且つ回数管理により利用頻度に応じた合理的料金徴収が可能となる。
【００８９】
また、送信源から送信される有料のサービス情報を受信し、表示手段にて表示するサービス情報受信装置において、記憶手段と選択手段とを有する構成にあっては、選択手段によって、記憶手段に記憶された複数の課金処理方法を行うに必要な情報のうちひとつの課金処理方法を選択することができ、選択された課金方法により課金処理を行う。したがって、サービス情報の利用者は、自己の経済的動向等に応じて、適切な課金方法を選択して、手軽にサービス情報を利用することができる。
【００９０】
また、本発明のサービス情報受信装置において、複数の課金処理方法を行うに必要な情報を記憶してなる情報記憶媒体を脱着可能な装置本体と選択手段とを有する構成にあっては、前記情報記憶媒体に記憶された複数の課金処理方法を行うに必要な情報のうちひとつの課金処理方法を選択して、この選択された課金方法により課金処理を行う。したがって、サービス情報の利用者は、情報記憶媒体を入手する時点と、入手した情報記憶媒体からひとつの課金処理方法を選択する時点とで、課金処理方法の選択が可能となり、これにより利用者の選択範囲を拡大させることができる。
【００９１】
また、所定の課金処理方法を行うに必要な情報を記憶してなる情報記憶媒体と、他の課金処理方法を行うに必要な情報を記憶してなる情報記憶媒体とを脱着可能な装置本体を有する構成にあっては、制御手段は、装置本体に装着された情報記憶媒体に記憶された課金処理方法により課金処理を行う。したがって、情報記憶媒体の種類により課金処理方法が一義的に定まり、情報記憶媒体毎の管理により、誤りのない課金体制を確立し得る。さらに、ひとつの情報記憶媒体に記憶された課金処理を行うに必要な情報を、複数の前記装置本体に分割取得させる手段を有する構成にあっては、ひとつの情報記憶媒体を多数のサービス情報受信装置で共用することができ、これによりサービス情報の利用者を増大させることが可能となる。
【００９２】
前記課金処理方法のうちひとつが有効期限を設定する方法、期間管理を行う方法、前払い金額を減算していく方法、回数管理を行う方法であるとにより、サービス情報の利用者は、利用者あるいは事業者が有する諸条件に応じて最適な課金システムを採択し得る。さらに、情報送信処理を行う送信手段を備える構成においては、前記課金処理方法のうちひとつは、情報送信処理に対する課金方法であることにより、受信課金と送信課金とを同時に行い得る。また、送信手段がダイアラースピーカを有していることにより、既存の電話回線網を利用した送信が可能となる。さらに、サービス情報が、ＦＭ多重放送によって送信されることにより、ＦＭ波を有効利用してサービス情報の送信を行うことが可能となる。
【００９３】
また、本発明の送受信装置によれば、各情報による制御により、サービス情報の利用に対する課金システムと、情報の送信に対する課金システムとを当該送受信装置において両立させることが可能となる。また、情報記憶媒体を用いるサービス情報受信装置にあっては、単一の情報記憶媒体によりサービス情報の利用に対する課金システムと、情報の送信に対する課金システムの併存を達成できる。このとき、サービス情報の受信を期間管理し、送信を回数管理する構成であることにより、常時利用されるサービス情報の受信に対しては期間により合理的な課金を、利用者により利用頻度が異なる送信に関しては利用者負担の原則に従った課金を、当該送受信装置において行うことができる。
【００９４】
さらに、本発明の情報記憶媒体によれば、課金処理を行うに必要な情報が、サービス情報の受信を期間管理するための期間情報と、前記サービス情報の受信を回数管理するための回数情報であることにより、受信機能のみを有する装置、受信及び送信機能を有する装置、送信機能のみを有する装置のいずれであっても、多機能的に使用することができる。
【００９５】
また、サービス情報受信装置に着脱可能であって、サービス情報の受信を管理するための期間管理情報と情報の送信を管理するための回数管理情報とが記憶されている情報記憶媒体によれば、この情報記憶媒体を販売した時点で、受信課金と送信課金とを同時に行うことができ、利用者はにとって利用料金の支払い処理が簡略であり、事業者にとって料金徴収が容易な送受信課金システムを確立することができる。また、サービス情報の受信を管理するための期間管理情報であり、情報の送信を管理するための回数管理情報であることにより、この情報記憶媒体を販売する単純なシステムにより対象の特性に応じた合理的な課金が可能となる。また、常時利用されるサービス情報の受信に対しては期間により合理的な課金を、利用者により利用頻度が異なる送信に関しては利用者負担の原則に従った課金を、情報記憶媒体で行うことができる。
【図面の簡単な説明】
【図１】本発明の一実施例が用いられる移動体ＦＭ文字多重放送のシステム構成を示す概略説明図である。
【図２】本実施例のサービス情報受信装置の平面図である。
【図３】同サービス情報受信装置の左側面図である。
【図４】同サービス情報受信装置の右側面図である。
【図５】同サービス情報受信装置の構成を示すブロック図である。
【図６】本実施例のサービス情報受信装置に使用するＩＣカードの構成を示すブロック図である。
【図７】（Ａ）は、ＩＣカードのＥＥ-ＰＲＯＭの構成を示す説明図、（Ｂ）はＥＥ−ＰＲＯＭの構成を示す図である。
【図８】本実施例のサービス情報送信装置の構成を示すブロック図である。
【図９】サービス情報の送信信号フォーマット図である。
【図１０】本実施例のサービス情報受信装置の処理内容の一部を示すフローチャートである。
【図１１】図１０に続くフローチャートである。
【図１２】  使用許可回数処理の処理内容を示すフローチャートである。
【図１３】課金ポイント譲渡処理の処理内容を示すフローチャートである。
【図１４】本実施例のサービス情報受信装置の処理内容の一部を示すフローチャートである。
【図１５】番組選択画面作成処理の内容を示すフローチャートである。
【図１６】有料番組受信設定処理の内容を示すフローチャートである。
【図１７】番組選択操作処理の内容を示すフローチャートである。
【図１８】本実施例の表示例を示す図である。
【図１９】送信処理の内容を示すフローチャートである。
【符号の説明】
１    サービス情報受信装置
１Ａ    装置本体
２    ＩＣカード
３    ＦＭ放送局
５    キー入力部
６    表示部
３０    ＦＭラジオ部
４０    サービス情報受信部
４３    受信処理部
４４    ＥＥ−ＲＯＭ
５２    ＥＥ−ＰＲＯＭ
５３    暗号化受け渡し用ＣＰＵ
７０    サービス情報送信装置
【図１】
0003738360.tif 000003
【図２】
0003738360.tif 000004
【図３】
0003738360.tif 000005
【図４】
0003738360.tif 000006
【図５】
0003738360.tif 000007
【図６】
0003738360.tif 000008
【図７】
0003738360.tif 000009
【図８】
0003738360.tif 000010
【図９】
0003738360.tif 000011
【図１０】
0003738360.tif 000012
【図１１】
0003738360.tif 000013
【図１２】
0003738360.tif 000014
【図１３】
0003738360.tif 000015
【図１４】
0003738360.tif 000016
【図１５】
0003738360.tif 000017
【図１６】
0003738360.tif 000018
【図１７】
0003738360.tif 000019
【図１８】
0003738360.tif 000020
【図１９】
0003738360.tif 000021